(57)【要約】電気式の温水器、液体加熱器、蒸気発生器に関するもので、内部に水や液体を入れた流体容器１の加熱壁２をヒーター線６で加熱するが、そのヒーター線６を形を自立的に維持できる範囲で薄い電気的抵抗の高い鉄クロム等の金属板で形成し、加熱壁２との間に挟む電気絶縁体５を窒化アルミ等の、ヒーター線よりも３倍以上高い熱伝導率を持つものとし、さらに前記加熱壁を銅や銀の、ヒーター線よりも１０倍以上高い熱伝導率を持つものとし、それらを熱伝導的に互いに密着させた。これによりヒーター線６の発熱が直ちに加熱壁２に移動し、水や液体は数秒で加熱されて出始めるが、この早さを利用して数秒先に入れるスイッチを別に設けることにより、冷水を殆ど出さない省エネルギーの電源回路も出来た。
2002090836.tif 000002
【特許請求の範囲】
【請求項１】
少なくとも流体容器、電気絶縁体、ヒーター線、電源制御回路からなり、流体容器の一部を構成する加熱壁に電気絶縁体を挟んで配置されたヒーター線に電源制御回路から電力を供給して加熱する電気温水器等において、ヒーター線は電気的抵抗の高い金属の薄板で形成し、前記電気絶縁体はそのヒーター線よりも３倍以上高い熱伝導率を持つ熱伝導体からなり、さらに前記加熱壁はヒーター線よりも１０倍以上高い熱伝導率を持つ金属とし、それらを熱伝導的に互いに密着させた構造であることを特徴とする電気温水器、液体加熱器、蒸気発生器。
【請求項２】
上記電気絶縁体は窒化アルミ又は炭化珪素又はそれらを主成分とするセラミックの薄板である請求項１の電気温水器、液体加熱器、蒸気発生器。
【請求項３】
上記加熱壁は銅又はそれを主成分とする合金である請求項１の電気温水器、液体加熱器、蒸気発生器。
【請求項４】
上記ヒーター線は鉄クロム合金又はニクロムである請求項１の電気温水器、液体加熱器、蒸気発生器。
【請求項５】
ヒーター線は発熱部分が一定の細い幅の、望ましくはより短い距離で折り返しジグザグとなった形状であると共に、稜線や角で電気絶縁体に密着しない部分は大幅に幅広にした構造であることを特徴とする請求項１の電気温水器、液体加熱器、蒸気発生器。
【請求項６】
電源制御回路が、蛇口をひねり水を出すことで機能する通常のスイッチの他に、手で押すなど所定の動作により入れられるスイッチを設け、それを予め入れることにより水を出さなくとも、設定された数秒間、ヒーター線に電力を供給して加熱するようにした構造であることを特徴とする請求項１の電気温水器。
【請求項７】
少なくとも流体容器、ヒーター線、断熱被覆ホルダー、電源制御回路からなり、前後の配管や出入口への接続部を持ち、内部は水又は目的の液体が流れる又は滞留する流体容器の、一部を構成する加熱壁に接して配置されたヒーター線に電源制御回路から電流を流して加熱する電気温水器等において、流体容器の加熱壁は銅や銀又はそれらを主成分とする合金により、水に接する面の反対側の面を平面や緩い二次曲面の密着し易い面として形成し、ヒーター線は鉄クロム合金等の抵抗板を焼入れ等の調質により腰を強くして、形を自立的に維持できる範囲で薄く、その分幅広に形成したものを重ね、その間に窒化アルミ、炭化珪素又はそれらを主成分とするセラミックの薄板を電気絶縁体として挿入し、それらを断熱被覆ホルダーで押圧し、互いに緊密に密着させた構造であることを特徴とする電気温水器、液体加熱器、蒸気発生器。
【発明の詳細な説明】
技術分野
電気式温水器、液体加熱器、蒸気発生器に関するもので、特に数秒で加熱の効果の出始めるものを提供する。
背景技術
従来電気温水器や液体加熱器はニクロム合金等のヒーター線を雲母等の絶縁板に巻き付け、形を作り、さらに雲母で絶縁させて、冷水の通るパイプを加熱していた。雲母は優秀な絶縁体であるが、同時に優れた断熱材でもあるので、その温水器や加熱器から充分な温度の温水や液体が出て来るのは、ヒーター線が溶けるような高温に近くなった２〜３分後といった遅いものであった。
瞬間温水器は電気式が遅いので、通常使われる殆どがガス式であった。ガス式は燃焼するので換気が必要で、さらに装置が高温になるので、多くの家庭や事務所ではその建物の外部に設置した。その為温水器から蛇口迄の配管が長くなり、蛇口をひねって温水が出て来るまで０．５〜１分といった時間待たなければならなかったし、その間冷水を大量に出さなければならなかった。又使用後はその長い配管の中の温水は無駄に冷えるだけであった。
特開平４−２７８１４２号のように、水や液体を加熱する仕切板に窒化アルミや炭化珪素等を用いて、熱交換率を向上させようという熱交換器もあったが、ヒーターはその図１では直径２センチの丸い断面で、ニクロム線からなる熱交換手段とだけしか言明されていない。しかしそこに目新しい技術は出てこないので、従来型のシーズヒーターかニクロム丸線であろうと思われる。
シーズヒーターは防水性が良く、水周りに多用されるものであるが、図２Ｅの断面図に描かれたようにニクロム線１４を薄いステンレスパイプ１５でカバーして、酸化マグネシウム等の粉末１６を充填して絶縁するもので、熱伝導率の悪い物質で取り巻かれているため、熱伝導率の良い仕切板１２に熱が達するまで非常に遅いものであった。明細書に１０分後の平衡状態での熱交換率は良いと書いてあるのは、平衡点に達する迄に１０分は掛かるということを意味する。
むしろ図２Ｄのニクロム丸線１４のように、防水の問題は別にして、何も無いほうが窒化アルミ板１２に直接接触するので熱伝導は早くなる。しかし見て分かるように、共に接触するのは点が連なった線としてであるので、残りの熱は空気を通すか輻射熱によるので、図２Ａ及びＢの薄いニクロム線１１の発熱が窒化アルミ板１２に直接伝えられるものに比べると、非常に遅いものであった。
さらにこの先願は５．２ＫＷで、炭化珪素板が直径３０ｃｍなので、本発明の２ＫＷで５４平方ｃｍに比べて５倍も大型であった。従ってこれは炭化珪素や窒化アルミを利用しても、数秒で加熱を始める技術では無かった。
窒化アルミ板に電導体を焼き付ける考えもあり、色々試行錯誤されているが、アルミナ板に比べて焼結温度が１，５倍高く、熱による膨張率は２／３以下で、酸化膜でもないので適当なバインダーが無い、電導体が金属化合物では充分な電流を流すことが出来ない等で、現在は可能なものが出ていない。今後出てきても本発明のようなニクロムや鉄クロムの薄板を重ねるだけの簡単で低コストのものはそれなりの価値を持ち続けよう。
発明の開示
内部に水や液体を入れた流体容器の加熱壁を加熱するヒーター線を、形を自立的に維持できる範囲で薄い電気的抵抗の高い金属板で形成し、加熱壁との間に挟む電気絶縁体を窒化アルミ等の、ヒーター線よりも３倍以上高い熱伝導率を持つものとし、さらに前記加熱壁を銅や銀等の、ヒーター線よりも１０倍以上高い熱伝導率を持つものとし、それらを熱伝導的に互いに密着させた。
これによりヒーター線の発熱が直ちに加熱壁に移動し、水や液体は数秒で加熱されて出始めるが、この早さを利用して数秒先に入れるスイッチを別に設けることにより、冷水を殆ど出さない省エネルギーの電源回路も出来た。
発明を実施するための最良の形態
図１は本発明の一例の短管状の温水器１の斜視図で、分かり易いように断熱被覆ホルダーを取り除いてある。流体容器２は肉厚１ｍｍの銅製の短管で、その両端はフレヤーに成形し、フレヤーナット３をはめ込んで前後の配管に接続出来るようにしてある。そしてその間の一部を加熱壁４として、一辺１０ｍｍの正六角柱になるように成形し、その平面に０．６ｍｍの窒化アルミ薄板５を重ね、さらにヒーター線６を重ねてある。
ヒーター線６は、鉄クロム合金の金属板を適当な焼き入れ、焼き戻しの調質をして腰を強くすると、厚さを０．１ｍｍに薄くして、例えば図１のように２ｍｍ幅の線幅で隙間を０．５ｍｍで１０ｍｍ幅を往復するジグザグ形にしても自立的にその形状を保てるので、そのまま窒化アルミ板５に重ねるのである。密着させる機能は断熱被覆ホルダーで、例えばそのガラス繊維の断熱材を被せ、シリコンゴムのテープを巻いて圧迫し、コーキング材で防水をすればよい。
次いでそのヒーター線のリード部７から電流を８Ａ送り込むと、ヒーター線６は発熱するが、直ちに密着している熱伝導率が約８倍の窒化アルミ板５に吸収され、その熱もさらに約２．５倍の銅の加熱壁４に吸収される。電流を流し始めて１秒後には内壁に熱が伝わり出すので、３〜５秒後にはその熱を受けた温水が出始める。温度管理としては加熱壁から離れて下流及び上流に温度センサー１０を設けたが、機械式の湯水混合器を併設しても良い。
図１の構造で２ＫＷの入力電力量として、加熱壁４の六角柱の面積は５０平方ｃｍにした。つまり窒化アルミ板の１平方ｃｍ当たり４０Ｗといった電力密度になる。窒化アルミ板のデータからはこの５倍の耐久性があるそうで、その価格も高いので、より小さい方が好都合である。しかし実験ではこの２．５倍の１平方ｃｍ当たり１００Ｗの密度で、ヒーター線６の一部が窒化アルミ板５から少し浮いていたら、少しの期間で焼け切れてしまった。つまりヒーター線６の電流密度の方がだいぶ低いのである。それを考慮して安全性を高めたものである。
この電流密度で伝熱速度の実験を図２Ａ〜Ｄの断面図のように行なった。Ａは０．１ｍｍ厚で２ｍｍ幅の鉄クロムのヒーター線１１を４ｍｍ幅、０．６ｍｍ厚の窒化アルミ薄板１２に重ね、さらに１ｍｍ厚の銅板１３を重ねた。ＢはＡから銅板１３を取り除いたものである。これらの場合ヒーター線同志の隙間を０．１ｍｍ程度にした。Ｃはヒーター線１１と同じ断面積の直径０．５ｍｍの鉄クロム丸線１４を先程のＢと同じ寸法の窒化アルミ薄板１２及び銅板１３に重ねたもので、ＤはＣから銅板１３を取り除いた。実際にはこれらを両側から２ｍｍ厚の酸化マグネシウムと珪酸からなる断熱材のステアタイトを押圧材として用いて互いに密着させ、８Ａの電流を１秒間流した。
あまりに短時間なので測定値は正確さが欠けるが、図２Ａの銅のヒーター線の反対側の表面はその１秒後には大体４０〜５０℃になり、Ｃの銅の同表面は１〜２℃上昇した程度であった。そしてＡのヒーター線１１は５０〜６０℃で非常に低いのに、Ｃの丸線１４は断熱材に接している部分は１００℃位で、少しでも浮いている部分は２００℃以上にもなるようであった。３秒間電流を流し、その１秒後には上記の数値の大体３倍になった。
Ｂでは窒化アルミ薄板１２のヒーター線の反対側表面は１秒後には１５０℃前後になり、Ｄでは１０数℃であった。Ｅは実験したものではなかったが、外径４ｍｍのシーズヒーターを窒化アルミ薄板１２に重ねたものの断面図を描いてみたもので、Ｄと大体同じ傾向で、鉄クロム線かニクロム線かは不明であるが、さらに断熱材で囲まれているので熱伝導はもっと遅いと言える。
これらから分かることは、数秒間という短時間では薄く幅の広いヒーター線１１からの発熱が、丸線１４からよりも何十倍も早く銅板１３に伝わるし、ヒーター線１１自体も熱を吸収され、温度が低くなる。さらに銅板１３が無ければ窒化アルミ薄板１２はさらに早く熱せられ高温になるが、熱の蓄積が少なく、ヒーター線１１も高温になるということである。
以上から早く加熱するにはＡかＢであるが、Ｂでは長時間加熱していけばヒーター線１１の温度が高くなり、焼きが戻って腰が弱くなるので、形を自立的に維持するにはヒーター線を厚く例えば０．５ｍｍ程度にしなければならなくなる。さらに水の熱伝導率が極端に悪いので、窒化アルミ板からの熱伝導はボイラーのように沸騰による方が効率は高くなるが、そうなると窒化アルミ板には水とヒーター線の温度差が掛かる上に、沸騰の衝撃も掛かるし、液体なのでウォーターハンマーもあるし、粘りのないセラミックとなれば構造的にかなり丈夫にしなければならず、元々材料費が高いのでコストもかなり高くなる。
それに比べてＡの場合は銅板が構造的に強度を受けるし、窒化アルミに比べて価格は５０分の１、熱の伝導率は２倍なので、窒化アルミとヒーター線の大きさは必要最小限のままにして、銅の加熱壁をずっと広くすれば、つまり伝熱面積を広くすれば、水や液体への熱伝導は大きく高まるし、その広い加熱壁に熱を貯めることにもなる。又ヒーター線の温度も低くなり、断熱や防水が簡単になる。
伝熱面積を広くするには大きさだけでなく、図３の加熱壁１７のように内部に突起やフィン１８を設けたり、溝を刻んだりするのでもよい。この場合加熱壁１７は円筒状なので、窒化アルミ板１９はその二次曲面に合わせた面になる。その隙間にシリコンに窒化アルミ微粉末を混ぜた熱伝導の高い接着剤やグリースを塗布することはこれらの熱伝導性を高めるだけでなく、接着剤は断熱被覆ホルダーに代わって密着させる機能も持たせることが出来る。ヒーター線が低温なのがここでも役立つ。
これらとは逆に電流密度を上げ、加熱面積を小さくして、ボイラーのように沸騰させることも可能である。この場合でもヒーター線はＢのようには高くはならない。しかしそうなるとその内壁に、水中のミネラルが析出してスケールが付着し、伝熱効果を低下させる場合もあるので、磨いたり、クエン酸等の薬品で除去する必要がある。その為図１のように配管から脱着すれば点検出来る形でも良いが、図４の側面図のように流体容器２０を円筒として、前後の配管への接続部分２１が両端の手前で横に分岐していて、配管を外さなくても容器２０の端末のフランジ２２を開ける、又は点検口２３から点検するでもよい。
この場合加熱は外部からでもよいが、図４の中心部に点線で示したように下側から挿入された短管状の加熱壁２４でもよい。この加熱壁２４は一端を塞ぎ、その内部の壁面に窒化アルミ板、ヒーター線を密着させ、ガラスクロスや酸化マグネシウム粉末のような絶縁・断熱材を詰めて、他端はリード線２５を出して塞ぎ、フランジ２６を通して流体容器２０に取り付けるのである。この短管状の加熱壁２２はヒーターを内蔵したまま、流体容器から独立させて、単独のヒーターとすることも出来る。しかし使い方としては流体容器に投げ込む又は挿入するという形になるので、このような形も本願の請求の範囲に含まれる。
流体容器は短管状ばかりでなく様々な形が考えられる。図５のように長方形の箱のような形２７で、出入口２８と内部に点線で示したジグザグの流水経路２９を設けたものでもよい。向き合った平面を加熱壁として、そこに窒化アルミ板、ヒーター線を密着させればよい。ただ本発明は非常に短時間に急激に加熱するので、歪みや疲労が発生し、それが蓄積されると、ずれや破損が生じ寿命が短くなるので、流体容器がなるべく均一に膨張する形が望ましい。
さらにヒーター線はジグザグ形状にすることで、熱による線膨張を吸収する形がよく、より短い距離で折り返すのが望ましい。又その材質は鉄クロムだけでなく、ニクロムやタングステンといった耐熱性の高い金属を使うことができる。しかしヒーター線は窒化アルミに密着しなければニクロム程度では忽ち高温になって焼け切れてしまうので、図１のように加熱容器の稜線や角８やヒーター線のリード部７ではヒーター線を２〜５倍に幅広９にして、発熱自体を押さえなければならない。但し細い幅を急に広くするとその直前の細い部分に応力が集中し、折れやすくなるので、図１のように徐々に幅広く、又は細くしていくのがよい。これらの工夫と焼き入れによりヒーター線６は０．１ｍｍ程度に薄くても自立的に、即ち雲母等の支えが無くても加工中の扱いや使用中の熱膨張に耐えて、その形状を維持出来る。
電気温水器は漏水などで漏電するので、防水仕様も断熱被覆ホルダーに含まれる。しかし本発明のヒーター線は低温なので使用に適した材料が多く、最適の材料を選択することが出来る。例えばガラスクロスで巻いて、さらにシリコンゴムで巻いて、そのすき間をコーキング材で防水にするとか、セラミック断熱材を使ってウレタンゴムで巻いても良い。
ヒーター線と加熱壁とを電気的に絶縁しながら、熱を非常に良く伝える材料を熱伝導率で示すと、温度により変化するが常温での大まかな窒化アルミ（１００〜２００Ｗ／ｍ・Ｋ）に対し、ダイヤモンド（２０００）、ｃＢＮ（１３００）や炭化珪素（２７０）や酸化ベリリウム（２５０）等がある。しかし酸化ベリリウムは毒性が高く、ダイヤモンド、ｃＢＮや炭化珪素は堅く加工が難しい等の欠点があり、将来はともかく現在は本発明の用途には使えない。
現在は窒化アルミを除くと実用的なセラミックスではアルミナ（２０）が最高で鉄クロムと同程度で、つまり１倍であり、これでは本発明の効果があまり期待出来ない。しかし鉄クロムヒーター線の４〜５倍の熱伝導率の窒化アルミで充分に機能し、しかもこの２者の間の実用的なセラミックは無いので、３倍程度まで請求の範囲に含める。又加熱壁は銅（３７０）だけでなく、コストが合えば熱容量のより大きな銀（４００）でもよい。又これらの成分を主とするセラミックや合金でも同じ効果が出るので、本発明の範囲に含める。
本発明の加熱方法は早いだけでなく、簡単で低温である点も大きな長所である。従って従来のヒーターに替わって瞬間式だけでなく、貯湯式でも用いることが出来、又色々な液体の加熱、保温器具に用いることも出来る。
さらに本発明では素早い加熱を利用して、瞬間式電気温水器の無駄な冷水を少なくすることが出来る。通常は蛇口をひねって水を出すことにより減圧した水圧を感知して機能するスイッチを設けてあるが、それとは別に例えば洗面台の上部に設けたスイッチを手で押すと、例えば５秒間のみ加熱する回路を余分に設けると、その直後蛇口をひねった時に冷水がその分少なくなる。この回路は通常の電気温水器に用いても例えば１分が５秒早くなるだけであるが、本発明ならば５〜７秒が５秒短縮されるので格段に効果が出る。
この場合設定する時間は、蛇口をひねる迄に待てる程度の短時間がよく、又スイッチを手で押すだけでなく、洗面台の前に立つという動作によるセンサーの働きでもよい。さらに重ねてスイッチを押して過熱状態になるような場合は、温度センサーで感知させ、それ以上加熱しないようにして防げばよい。
産業上の利用可能性
本発明の温水器、液体加熱器、蒸気発生器は非常に早く加熱し出すので、省エネルギーである。温水器では冷水の無駄も少ないし、使い終えた時に無駄になる配管内の温水も少ない。さらに数秒前に本発明のスイッチを押す構造により、さらにエネルギーや水の無駄が少なくなる。さらに時間の無駄も少なくなる。
ヒーター線や加熱壁が低温で小型なので、保温や防水が簡単に出来、装置も非常に小型になるので、移動用としても便利で、例えば介護用温水装置にもなる。又保守することも容易で、部品の寿命も長い。
さらに高機能にも係わらず非常に経済的で、高価な窒化アルミ板が最少で製造コストも低いし、小型なので洗面台の下などに設置する費用も小さい。
上記の利点から瞬間式だけでなく、貯湯式乃至は常時加熱式の温水器、液体加熱器にも広く用いることが出来る。
【図面の簡単な説明】
図１は本発明の一例を示す温水器で、断熱被覆ホルダーを取り外した斜視図である。図２Ａ〜Ｅは本発明の原理を理解する為のヒーター線と絶縁板と加熱壁との関係を示す実験例等の断面図で、図３は形状の異なる加熱壁及び窒化アルミ板の断面図である。図４、図５は他の応用例の流体容器の側面図である。
【図１】
2002090836.tif 000003
【図２】
2002090836.tif 000004
【図３】
2002090836.tif 000005
【図４】
2002090836.tif 000006
【図５】
2002090836.tif 000007
【国際調査報告】
2002090836.tif 000008
2002090836.tif 000009